(57)【特許請求の範囲】
【請求項１】
波長分散が正である正分散ファイバ区間と波長分散が負である負分散ファイバ区間とが交互に複数個に亘って配置され、隣接する1対の中継器間のスパンである分散マネジメント伝送路を有する波長分割多重光ファイバ伝送路において、
前記分散マネジメント伝送路に交互に配置される前記正分散ファイバ区間および前記負分散ファイバ区間の組数を４組に選定し、前記光ファイバ伝送路の蓄積分散および非線形効果を最適化することを特徴とする波長分割多重光ファイバ伝送路。
【請求項２】
複数個の前記分散マネジメントを光中継器を介して直列接続することを特徴とする請求項１に記載の波長分割多重光ファイバ伝送路。
【請求項３】
前記直列接続された分散マネジメントおよび光中継器よりなるＮ（Ｎは複数）スパン毎に分散補償を行うブロック分散補償器を挿入することを特徴とする請求項２に記載の波長分割多重光ファイバ伝送路。
【請求項４】
前記ブロック分散補償器は、前記Ｎスパン毎の最初の光中継器内に含ませることを特徴とする請求項３に記載の波長分割多重光ファイバ伝送路。
【発明の詳細な説明】
【０００１】
【発明の属する技術分野】
本発明は、分散による信号劣化を低減し、高速伝送レートにおいても長距離伝送が可能な波長分割多重光ファイバ伝送路に関する。
【０００２】
【従来の技術】
一般に、ＷＤＭ（Wavelength Division Multiplexing）と称される波長分割多重の光ファイバ伝送システムにおいては、波長分割して伝送する全チャネルについて良好でかつ均一な伝送品質が要求される。一方、信号伝送路を構成する光ファイバは、通常、波長に応じて分散量が異なるという波長依存性（分散スロープ）を有するため、使用チャンネル毎（使用波長毎）に異なる伝送特性を示すことはよく知られている。
【０００３】
このような背景から波長分割多重の光ファイバ伝送システムにおいて全チャンネルで均一な伝送品質を実現するためには、伝送光ファイバの分散フラット性（分散の波長依存性が少ないこと）が要求される。この分散フラット性を実現するために、図９（Ａ）に示す分散マネジメント伝送路１９が有効であることが知られている。
【０００４】
この分散マネジメント伝送路１９は、波長分散の値が正なる正分散ファイバ２１と、この正分散ファイバ部２１で蓄積される蓄積分散および分散スロープを補償する負分散ファイバ２２とを順に配置し、この分散マネジメント伝送路１９の前段に光中継器１８が配置され、分散マネジメント伝送路１９の後段に光中継器２０が配置されている。
【０００５】
かかる構成を採用することによって分散特性をある程度フラットにすることができるものの、正分散ファイバ２１に起因する蓄積分散が大きい場合には、この蓄積分散と負分散ファイバ２２との相互作用で非線形成分が生じてしまい最終的な伝送劣化が生じてしまうという現象が生じる。
【０００６】
この現象を図９（Ｂ）を参照して具体的に説明すると、図９（Ｂ）には、光中継器１８、分散マネジメント伝送路１９、光中継器２０のスパンの長手方向における蓄積分散量がマップとして示され、そのマップ上の代表的な数点における概念的な時間波形も示されている。
【０００７】
図９（Ｂ）の蓄積分散のグラフ中に示されるＦ点は、光中継器１８の出力部位（正分散ファイバ２１の入力部位）に対応し、Ｇ点は、正分散ファイバ２１と負分散ファイバ２２の接続部位に対応し、Ｈ点は、負分散ファイバ２２の出力部位（光中継器２０の入力部位）に対応する。
【０００８】
Ｆ点における特性ｆは、時間軸ｔ上に波長多重のチャンネル（例えば２つのチャンネル）に対応する時間ｔ１とｔ２における出力信号波形が示され、この特性ｆは、光中継器１８によって増幅補償された直後の信号が正分散ファイバ２１に入力された状態であるために正規の綺麗な波形となっている。
【０００９】
一方、Ｇ点における特性ｇは、光中継器１８の出力が正分散ファイバ２１を通過することによって減衰された状態で、かつ正分散ファイバ２１を通過することによって生じる蓄積分散の成分によって、波形の立上がりが緩やかに広がった状態とされ、２つのビット間で波形が大きく重なった状態になり、大きな非線形効果(自己位相変調)が発生している。
【００１０】
このようなＧ点の信号は、次段の負分散ファイバ２２を通過することによって、蓄積分散および分散スロープが補償された状態の特性ｈとなる。このＨ点の波形は、元の理想状態（特性ａ）の波形が正しく再現されずに歪んだ形状となり、伝送品質が劣化している。このような伝送品質の劣化は、１つの分散マネジメント伝送路１９において１回で補償が行われるため、大きな蓄積分散量を対象とする場合には補償し切れない成分が生じてしまうことに起因する。
【００１１】
このために、例えば、特開２００１−９１７６１号公報に開示されているように、１つの分散マネジメント伝送路を、波長分散が正である正分散ファイバ区間と波長分散が負である負分散ファイバ区間とを交互に複数個に亘って配置し、光ファイバ中に生じる非線形効果（自己位相変調）と波長分散との相互作用による伝送劣化成分補償を１回で行わずに小刻みに行うことによって最終的に得られる信号の劣化を少なくする技術が提案されている。
【００１２】
また、特開平１１−３３１０７４号公報には、光ファイバ伝送路を複数のブロックに分割して接続し、その複数のブロック毎の分散補償を最適（分散誤差を零）にするには、ある程度の残留分散値を積極的に持たせ、受信機等が設置される最終部位（複数ブロックのうちの最後のブロックの部位）にブロック分散補償器を設け、このブロック分散補償器によって光ファイバ伝送路における総合の残留分散値を零にするようにした技術が開示されている。
【００１３】
【発明が解決しようとする課題】
従来の波長分割多重光ファイバ伝送路は、複数の光中継器の間に配置される分散マネジメント伝送路を、正分散ファイバ区間と負分散ファイバ区間とを交互に複数配置するように構成され、前段の光中継器の出口（ファイバへの入力部位）では光信号が増幅された直後であるために信号強度が高く、一方、次段の光中継器の入口（ファイバの出力部位）ではファイバの通過ロスを受けたために信号強度が低い状態になる。
【００１４】
また、信号強度が高い場合には、ファイバ中の非線形効果が大きく生じるので、一般に正負の分散を交互に組み合わせてスパンを構成する際には、スパンの前半部（前段部の光中継器の出力付近）にはコア径が大きな非線形の影響の小さな正分散ファイバを配置し、スパンの後半部（後段部の光中継器の入力付近）にコア径が小さな非線形の影響の大きい負分散ファイバを配置している。
【００１５】
そして、伝送劣化を防ぐために、正負に分散されるファイバの交番数を増やした状態でスパンを構成すると、非線形の大きな負分散ファイバがスパン前半部に「非線形の大きな負分散ファイバ」として配置されることになるため、その蓄積分散による当該スパンの全体での非線形の影響が大きくなり、逆に、波形劣化を引き起こしてしまうという問題が生じてしまう。
【００１６】
このような問題は、伝送レートが１０Ｇｂ／ｓ程度もしくはこれ以下の場合には、実用的には特別の問題が生じないものの、特に次世代の４０Ｇｂ／ｓのような伝送レートの高速化が進行している近年において深刻な問題となっている。すなわち、上述従来のシステムでは、例えば、４０Ｇｂ／ｓのような高速伝送レートの伝送システムにおいて、分散フラット性、低非線形性、スパン蓄積分散等については充分な特性を達成できておらず、長距離伝送には不充分であった。
【００１７】
そこで、本発明の目的は、蓄積分散と非線形効果の相互作用による信号劣化を低減することができ、高速伝送レートにおいても長距離伝送が可能な波長分割多重光ファイバ伝送路を提供することにある。
【００１８】
【課題を解決するための手段】
前記課題を解決するために、本発明による波長分割多重光ファイバ伝送路は、次に記載するような特徴的な構成を採用している。
【００１９】
（１）波長分散が正である正分散ファイバ区間と波長分散が負である負分散ファイバ区間とが交互に複数個に亘って配置され、隣接する1対の中継器間のスパンである分散マネジメント伝送路を有する波長分割多重光ファイバ伝送路において、
前記分散マネジメント伝送路に交互に配置される前記正分散ファイバ区間および前記負分散ファイバ区間の組数を４組に選定し、前記光ファイバ伝送路の蓄積分散および非線形効果を最適化する波長分割多重光ファイバ伝送路。

【００２０】
（２）複数個の前記分散マネジメントを光中継器を介して直列接続する上記（１）の波長分割多重光ファイバ伝送路。
【００２１】
（３）前記直列接続された分散マネジメントおよび光中継器よりなるＮ（Ｎは複数）スパン毎に分散補償を行うブロック分散補償器を挿入する上記（２）の波長分割多重光ファイバ伝送路。
【００２２】
（４）前記ブロック分散補償器は、前記Ｎスパン毎の最初の光中継器内に含ませる上記（３）の波長分割多重光ファイバ伝送路。
【００２９】
【発明の実施の形態】
以下、本発明による波長分割多重光ファイバ伝送路の実施の形態について図面を用いて詳細に説明する。先ず、第１の実施の形態について図１乃至図５を参照して説明する。
【００３０】
図１は本実施形態の構成を示す図であり、光信号が入力される光中継器１の出力部位に分散マネジメント伝送路２の入力部位が接続され、その出力部位が光中継器３の入力部位に接続されている。
【００３１】
この分散マネジメント伝送路２は、波長分散が正である正分散ファイバ（ＰＳＣＦ）区間と波長分散が負である負分散ファイバ（ＤＣＦ）区間とを交互に複数個（本例では、８区間）に亘って配置したもので、具体的には、分散マネジメント伝送路２を、正分散ファイバ区間と負分散ファイバ区間で形成される４組を直列に配設して構成されている。
【００３２】
そして、第１の正分散ファイバ２１と第１の負分散ファイバ２２を接続した組の後段に、第２の正分散ファイバ２３と第２の負分散ファイバ２４を接続した組を接続し、以下同様に第３の正分散ファイバ２５と第３の負分散ファイバ２６の組と、第４の正分散ファイバ２７と第４の負分散ファイバ２８の組が接続されている。
【００３３】
また、「第１の負分散ファイバ２２乃至第４の負分散ファイバ２８」のそれぞれは、「第１の正分散ファイバ２１乃至第４の正分散ファイバ２７」に蓄積する分散および分散スロープを４段に亘って分散補償するためのものである。
【００３４】
このように構成された分散マネジメント伝送路２は、そのスパン内において４回の分散補償を行なっているため、スパン内での分散蓄積を抑圧して、光ファイバ中に分散と非線形効果の相互作用による光信号劣化を低減し、伝送品質を大幅に改善することができる。
【００３５】
これを図２を用いて詳細に説明すると、分散マネジメント伝送路２を構成する第１の正分散ファイバ２１から第４の負分散ファイバ２８までの８つのファイバ区間を一列に並べた場合、それぞれの区間の長手方向における蓄積分散の量がマップとして示されている。すなわち、このマップ上の代表的な数点、即ちＡ点乃至Ｅ点の５つの点のそれぞれにおける概念的な時間波形を示す特性ａ乃至特性ｅの５つの特性が図２に示されている。
【００３６】
分散マネジメント伝送路２を構成する８つのファイバ区間の内、１，３，５，７番目の区間には正分散ファイバが用いられ、２，４，６，８番目の区間には負分散ファイバが配置されている。このような構成を採用することにより、１つの中継スパン内において蓄積分散が４回に亘って補償され、スパン内での最大蓄積分散を小さく抑えることが可能となる。
【００３７】
この場合、本実施形態の分散マネジメント伝送路２は、１つの正分散ファイバと１つの負分散ファイバのみを有する分散マネジメント伝送路（例えば図９に示すような従来の光ファイバ伝送路）による１回折返し型と比較して、蓄積分散の量は４分の１となり、当該の分散マネジメント伝送路２内で４回に亘って周期的に蓄積分散を小刻みに補償すると、伝送する信号光も分散により過度に広がり過ぎる前に波形が周期的に分散補償されて元の波形の形状まで戻すことが可能となる。
【００３８】
この分散４回折返し型の分散マネージメント伝送路２を用いて、蓄積分散を抑えることにより、光信号のビットの広がり、またはビット間の重なりと光ファイバ中の非線形効果との相互作用による信号劣化を許容できる範囲まで低減することができる。
【００３９】
蓄積分散のグラフ中に示されるＡ点は、光中継器１の出力部位（第１の正分散ファイバ２１の入力部位）に対応し、Ｂ点は、第１の正分散ファイバ２１と第１の負分散ファイバ２２の接続部位に対応し、Ｃ点は、第１の負分散ファイバ２２と第２の正分散ファイバ２３の接続部位に対応し、Ｄ点は、第４の正分散ファイバ２７と第４の負分散ファイバ２８の接続部位に対応し、Ｅ点は、第４の負分散ファイバ２８の出力部位（光中継器２の入力部位）に対応する。
【００４０】
Ａ点における特性ａは、時間ｔに波長多重のチャンネル（例えば２つのチャンネル）に対応する時間ｔ１とｔ２における出力信号波形を重ねて示し、この特性ａは、光中継器１によって増幅補償された直後の信号が第１の正分散ファイバ２１に入力された状態であるために正規の綺麗な波形となっている。
【００４１】
一方、Ｂ点における特性ｂは、光中継器１の出力が第１の正分散ファイバ２１を通過することによって減衰された状態で、かつ第１の正分散ファイバ２１を通過することによって生じる蓄積分散の成分によって、波形の立上がりが緩やかに広がった状態とされ、２つのビット間で波形が大きく重なった状態になり、大きな非線形効果(自己位相変調)が発生する。
【００４２】
このようなＢ点の信号は、次段の第１の負分散ファイバ２２を通過することによって、蓄積分散および分散スロープが補償されＣ点の特性ｃになる。このＣ点の波形は、元の理想状態（特性ａ）の波形に略等しく僅かの分散残留値が付加された状態である。
【００４３】
以下、同様に第２の正分散ファイバ２３乃至第４の正分散ファイバ２７まで複数回に亘る小刻みな分散補償が行われ、「波形の立上がりが緩やかに広がった状態とされ、２つのビット間で波形が大きく重なった状態」になっているＤ点の特性ｄの波形が、次段の第４の負分散ファイバ２８を通過することによって、蓄積分散および分散スロープが補償され、分散マネジメント伝送路２の最終的な信号である第４の負分散ファイバ２８の出力部位の信号が、元の理想状態（特性ａ）の波形に略等しい特性ｅに再現される。
【００４４】
本発明の分散マネージメント伝送路の有効性を確認するために行った数値シミュレーションの結果を図３に示す。図３は、分散マネジメント伝送路２における伝送距離を３，０００ｋｍとし、信号伝送レートを４０Ｇｂ／ｓとしたときの「単一波長伝送」の場合と、「５チャンネルの波長分割多重の伝送」の場合のそれぞれにおける伝送後の伝送ペナルティ（ｄＢ）を数値計算した結果を、１つの分散マネージメント伝送路内における正分散ファイバ区間と負分散ファイバ区間の折返し回数を１回から８回まで変化させた場合のそれぞれに対応させて示すものである。
【００４５】
図３より明らかなように「単一波長伝送」と「５チャンネルの波長分割多重伝送」のいずれの場合であっても分散折返し数が４のときに伝送ペナルティが最小であることが解る。
【００４６】
また、「単一波長伝送」の場合の分散折返し数が１，２，４，６，８回のそれぞれにおけるアイパターンを図４に示し、さらに、「５チャンネルの波長分割多重伝送」の場合の分散折返し数が１，２，４，６，８回のそれぞれにおけるアイパターンを図５に示す。
【００４７】
図４と図５より明らかなように、「単一波長伝送」と「５チャンネルの波長分割多重伝送」のいずれの場合においても、分散４回折返し時でアイパターンにおける位相ずれの量が最小で、分散折返し回数が２、１と少なくなっても、また６、８と多くなっても位相ずれの量が多くなり、分散折返し数が４のときに最小な位相ずれとなる。
【００４８】
ここで、伝送ペナルティの生じる主要因は、スパン内の蓄積分散と非線形効果の相互作用による波形劣化であり、一般に、第１の負分散ファイバ２２等の負分散ファイバの非線形性は、第１の正分散ファイバ２１等の正分散ファイバの非線形性よりも大きく、そのために良好な伝送品質を得るためには、光中継器１の出力部位に近い高パワー領域には、非線形性の小さな正分散ファイバを配置し、低線形化を図る。
【００４９】
また、分散の折返し数を増加させると蓄積分散は低減できるが、その分だけ負分散ファイバが高パワー領域に多数配置される結果となり、非線形効果が増大してしまう。そのため、過度の分散折返しを行うと分散補償したにも拘わらずかえって伝送劣化を引き起こしてしまうことになり、本シミュレーションによれば、蓄積分散と非線形効果の双方から得られる最適な分散折返し数は４回ということになる。
【００５０】
なお、この分散マネジメント伝送路２は、当該分散マネジメント伝送路２の後段に分散補償器を付加して構成し、分散マネジメント伝送路２のスパン長さをＬとしたときに、付加された分散補償器におけるスパン平均波長分散の値が、±２５０／Ｌ±０．５を満たすように構成することによっても最適な分散補償を行うことができ、また、当該の分散補償器は、分散マネジメント伝送路２の後段に接続される回路、例えば光中継器や光受信器等に含ませて構成してもよい。
【００５１】
次に本発明の第２の実施の形態による波長分割多重光ファイバ伝送路を図６乃至図８を用いて説明する。本実施形態の基本構成は、分散４回折返し型の分散マネージメント伝送路の複数を直列的に接続して１つのブロック伝送路を形成すると共に、このブロック伝送路の後段にブロック分散補償器を設けて構成したもので、また、当該のブロック伝送路を形成する複数の分散マネジメント伝送路のそれぞれのスパン長さをＬとし、前記分散マネジメント伝送路の配設数をＮとしたときに、前記ブロック分散補償器におけるスパン平均波長分散の値が、
±２５０／（Ｌ・Ｎ）±０．５  [ps/nm/km]
を満たすように構成したものである。また、複数の分散マネジメント伝送路のうちの互いに隣り合う部位に光中継器を介在させるように構成している。
【００５２】
１ブロックを形成する「ブロック伝送路」は、入力信号光を増幅して出力するＮ個の光中継器１２-1乃至１２-Nを有し、それぞれの間に「正分散ファイバと負分散ファイバでなる組の４つが含まれて構成される分散マネジメント伝送路」のＮ個が第１スパン１３-1乃至第Ｎスパン１３-Nとして配置される。
【００５３】
また、Ｎ番目の第Ｎスパン１３-Nの出力部位には、光中継器１４を介してブロック分散補償器１５が接続され、その後段に前述と同様な「ブロック伝送路」が接続されている。
【００５４】
第１スパン１３-1乃至第Ｎスパン１３-Nのそれぞれは、あるスパン平均分散値を単独で有し、第１スパン１３-1から第Ｎスパン１３-Nを順々に通過した際に１ブロック内に蓄積される分散成分がブロック分散補償器１５によって補償される。
【００５５】
当該ブロック伝送路における各部に生じる蓄積分散（図７参照）は、Ｎを５とした場合には、第１スパン１３-1乃至第Ｎ（５番目）スパン１３-Nのそれぞれにおいて正分散ファイバを通過することによって蓄積分散値が増加した後に、負分散ファイバを通過することによって１回目の補償がなされて減少し、次段の正分散ファイバを通過することによって増加し、次段の負分散ファイバを通過することによって２回目の補償がなされて減少し、以下同様にして増加／減少の繰り返しが４回折返しと５回通過による合計２０回行われた後に、ブロック分散補償器１５による分散補償が行われる。
【００５６】
この補償は、分散４回折返し型分散マネージメント伝送路のスパン数をＮとし、第１スパン１３-1乃至第Ｎスパン１３-Nのそれぞれのスパン長さをＬとしたときに、分散補償器１５におけるスパン平均波長分散の値（ｐｓ／ｎｍ／ｋｍ）が、±２５０／（Ｌ・Ｎ）±０．５を満たすように設定されている。
【００５７】
したがって、伝送距離が３，０００ｋｍで、Ｎが５で、第１スパン１３-1乃至第Ｎスパン１３-Nのそれぞれが分散４回折返しで構成され「５チャンネルの波長分割多重伝送」を行う場合には、ブロック分散補償器１５に持たせるべきスパン平均波長分散の値は、1±０．５（ｐｓ／ｎｍ／ｋｍ）または−1±０．５（ｐｓ／ｎｍ／ｋｍ）であり、数値シミュレーションによるスパン平均分散値に対する伝送ペナルティ特性（図８参照）の比較結果より、Ｎスパン毎にブロック分散補償器１５を挿入する構成の場合、１ブロック（ブロック伝送路）で平均分散が正分散の０．０１乃至０．１（ｐｓ／ｎｍ／ｋｍ）となるように設定する。
【００５８】
その結果、５つのスパンで構成されるブロック伝送路を通過した後に残留する成分（図７参照）は、ブロック分散補償器１５に設定された分散補償量によって相殺されて略完全に打ち消され、ブロック伝送路の初段に位置する正分散ファイバ（第１スパン１３-1）の入力部位に入力される信号と同等の理想波形が再現され、波長分割多重時のチャンネル間での非線形相互作用による伝送劣化を低減でき伝送品質の改善を行うことができる。
【００５９】
なお、ブロック伝送路の後段に接続されるブロック分散補償器１５による分散補償の機能は、次系統の最初に位置する光中継器１４に含ませて構成したり次系統の最初に位置する光受信器に含ませて構成してもよい。
【００６０】
上記正分散ファイバ区間と負分散ファイバ区間のそれぞれは略同一部材で構成することにより、コストの低減や特性の安定化を図ることができる。
【００６１】
上述実施形態による光ファイバ伝送路は、伝送レートが４０Ｇｂ／ｓ程度の波長分割多重伝送に特に有効であるが、これ以上の高速伝送レートにおいても有効であることは勿論である。
【００６２】
以上、本発明による波長分割多重光ファイバ伝送路の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００６３】
【発明の効果】
以上の説明で明らかなように、本発明による波長分割多重光ファイバ伝送路は、分散マネジメント伝送路の構成を、「正分散ファイバと負分散ファイバ」の４組で構成しているために、前段の正分散ファイバによって蓄積された分散および分散スロープを、次段の負分散ファイバによって４回に亘って小刻みに分散補償することになるので正分散ファイバによる分散蓄積が大きくなることがなく、蓄積分散と非線形効果の相互作用による信号劣化を低減することができる。
【００６４】
したがって、本発明による波長分割多重光ファイバ伝送路は、波長分散が正である正分散ファイバ区間と波長分散が負である負分散ファイバ区間とが交互に複数個に亘って配置された分散マネジメント伝送路を有する光ファイバ伝送路を、高速の伝送レートで用いるに際して、そのファイバ区間の交番数を最適な値にすると共に、当該分散マネジメント伝送路内での平均分散値を最適な値にして波形劣化の量を極力に少なくすることができる。
【図面の簡単な説明】
【図１】本発明の一実施の形態による波長分割多重光ファイバ伝送路の基本構成を示す回路ブロック図である。
【図２】図１中に示される波長分割多重分散マネジメント伝送路の詳細構成と各部における蓄積分散の量と代表的な数点における信号波形とを合わせて表現した図である。
【図３】図１中に示される分散マネジメント伝送路の分散折返し回数を変えたときの伝送ペナルティの値を示す特性図である。
【図４】単一波長伝送のときの伝送特性のアイパターンを、分散折返し回数の変化のそれぞれに対応して示す波形図である。
【図５】５チャンネルの波長分割多重の伝送のときの伝送特性のアイパターンを、分散折返し回数の変化のそれぞれに対応して示す波形図である。
【図６】本発明の他の実施の形態による波長分割多重光ファイバ伝送路の基本構成を示す回路ブロック図である。
【図７】図６中に示される光ファイバ伝送路の各部における蓄積分散の量を時系列的に示す図である。
【図８】図６中に示されるブロック分散補償器の平均分散値と伝送ペナルティの関係を示す特性図である。
【図９】従来の波長分割多重光ファイバ伝送路の基本構成と、その各部における蓄積分散の量と代表的な数点における信号波形とを合わせて表現した図である。
【符号の説明】
１、３、１２−１〜１２−Ｎ、１４、１８、２０、１６−１、１６−２  光中継器
２、１９、１３−１〜１３−Ｎ、１７−１    分散マネジメント伝送路
４、６、８、１０、２１  正分散ファイバ
５、７、９、１１、２２  負分散ファイバ
１５    ブロック分散補償器
【図１】
0004022860.tif 000002
【図２】
0004022860.tif 000003
【図３】
0004022860.tif 000004
【図４】
0004022860.tif 000005
【図５】
0004022860.tif 000006
【図６】
0004022860.tif 000007
【図７】
0004022860.tif 000008
【図８】
0004022860.tif 000009
【図９】
0004022860.tif 000010